(57)【要約】【課題】  記録媒体の記録画像を短時間で閲覧できるようにする。【解決手段】  再生モードでは、システム制御回路５０は、記録媒体２００，２１０内の初期画像と総画像情報を取得するための初期画像解析と総画像解析を開始する。初期画像解析のみが完了している場合、再生対象画像を初期画像として、記録媒体２００，２１０から読み出し、伸長して再生する。総画像解析も完了している場合、画像総数を表示する。画像送りの指示がある場合、指示された画像を再生画像として、記録媒体２００，２１０から読み出し、伸長して再生する。【選択図】  図１
2005223536.tif 000002
【特許請求の範囲】
【請求項１】
記録媒体内の画像データを表示する画像表示装置であって、記録媒体内の画像情報解析中は記録媒体内の前記解析対象画像に含まれる特定画像を表示する画像表示装置。
【請求項２】
前記特定の画像は、前記記録媒体内の情報解析時の最初に検出される前記記録媒体内の画像である請求項１に記載の画像表示装置。
【請求項３】
前記特定の画像は、予め不揮発メモリ等に記憶された情報を元に検出される前記記録媒体内の画像である請求項１に記載の画像表示装置。
【請求項４】
前記特定の画像は、前記記録媒体内の特定カウント方法における最終画像である請求項２又は３に記載の画像表示装置。
【請求項５】
前記特定の画像は、前記記録媒体内の特定カウント方法における最初の画像である請求項２又は３に記載の画像表示装置。
【請求項６】
前記特定カウント方法はＤＣＦ（Ｄｅｓｉｇｎ  ｒｕｌｅ  ｆｏｒ  Ｃａｍｅｒａ  Ｆｉｌｅ  ｓｙｓｔｅｍ）規則によるものである請求項４又は５に記載の画像表示装置。
【請求項７】
前記特定カウント方法は、前記記録媒体内の記憶順によるものである請求項４又は５に記載の画像表示装置。
【請求項８】
記録媒体内の画像データを表示する画像表示装置であって、記録媒体の情報解析後に前記記録媒体内の情報を表示する請求項１乃至７の何れか１項に記載の画像表示装置。
【請求項９】
表示する前記記録媒体内の情報は総画像数であることを特徴とする請求項８に記載の画像表示装置。
【請求項１０】
表示する前記記録媒体内の情報は最終画像の特定カウント方法における番号であることを特徴とする請求項８に記載の画像表示装置。
【請求項１１】
表示する前記記録媒体内の情報は最初の画像の特定カウント方法における番号であることを特徴とする請求項８に記載の画像表示装置。
【請求項１２】
記録媒体内の画像データを表示する画像表示方法であって、前記記録媒体内の情報解析中は前記記録媒体内の前期解析対象画像に含まれる特定の画像を表示する画像表示方法。
【請求項１３】
前記特定の画像は、前記記録媒体内の情報解析時の最初に検出される前記記録媒体内の画像である請求項１２に記載の画像表示方法。
【請求項１４】
前記特定の画像は、予め不揮発メモリ等に記憶された情報を元に検出される記録媒体内の画像である請求項１２に記載の画像表示方法。
【請求項１５】
前記特定の画像は、前記記録媒体内の特定カウント方法における最終画像である請求項１３又は１４に記載の画像表示方法。
【請求項１６】
前記特定の画像は、前記記録媒体内の特定カウント方法における最初の最初の画像である請求項１３又は１４に記載の画像表示方法。
【請求項１７】
前記特定カウント方法は、ＤＣＦ規則によるものである請求項１５又は１６に記載の画像表示方法。
【請求項１８】
前記特定カウント方法は、前記記録媒体内の記録順によるものである請求項１５又は１６に記載の画像表示方法。
【請求項１９】
前記記録媒体の情報解析後に記録媒体内の情報を表示する請求項１２乃至１８の何れか１項に記載の画像表示方法。
【請求項２０】
表示する前記記録媒体内の情報は総画像数であることを特徴とする請求項１９に記載の画像表示方法。
【請求項２１】
表示する前記記録媒体内の情報は最終画像の特定カウント方法における番号であることを特徴とする請求項１９に記載の画像表示方法。
【請求項２２】
表示する前記記録媒体内の情報は最初の画像の特定カウント方法における番号であることを特徴とする請求項１９に記載の画像表示方法。
【発明の詳細な説明】
【技術分野】
【０００１】
本発明は、画像データを再生する画像表示装置及び表示方法に関する。
【背景技術】
【０００２】
固体メモリ素子を有するメモリカードを記録媒体として静止画像や動画像を記録再生する電子カメラ等の画像表示装置は、既に市販されており、カラー液晶パネル等の電子ファインダを備える電子カメラも販売されている。
【０００３】
また、近年では、記録媒体の記録容量も増大し、多数の画像が記録可能となり、これら画像をユーザに容易に閲覧させるべく、総画像数又は表示画像の通し番号等を表示させるものがあった（例えば、特許文献１）。
【特許文献１】特開平０８−２０５０１４号公報
【発明の開示】
【発明が解決しようとする課題】
【０００４】
このような従来の電子カメラ等の画像再生装置においては、カラー液晶パネル等の電子ファインダを用いてユーザに記録媒体内の画像を容易に閲覧させるために同時に記録媒体内の情報を表示していたが、記録媒体の記録容量が大きくなり、記録画像数又は記録ディレクトリ数が多くなるにつれ、記録媒体内情報を検索し表示情報を作成するために時間がかり、ユーザが画像を閲覧するまでに時間がかかるという問題があった。
【０００５】
本発明は、記録画像を短時間で閲覧可能な画像表示装置及び方法を提示することを目的とする。
【課題を解決するための手段】
【０００６】
本発明に係る画像表示装置に於いては、第１に記録媒体内の画像データを表示する画像表示装置であって、記録媒体内の情報解析中は記録媒体内の前期解析対象画像に含まれる特定の画像を表示することを特徴とする。
【０００７】
第２に上記画像表示装置における上記特定の画像は、記録媒体内の情報解析時の最初に検出される記録媒体内の画像であることを特徴とする。
【０００８】
第３に上記画像表示装置における上記特定の画像は、予め不揮発メモリ等に記憶された情報を元に検出される記録媒体内の画像であることを特徴とする。
【０００９】
第４に上記画像表示装置における上記特定の画像は、記録媒体内の特定カウント方法における最終画像であることを特徴とする。
【００１０】
第５に上記画像表示装置における上記特定の画像は、記録媒体内の特定カウント方法における最初の最初の画像であることを特徴とする。
【００１１】
第６に上記画像表示装置における上記特定カウント方法は、ＤＣＦ（Ｄｅｓｉｇｎ  ｒｕｌｅ  ｆｏｒ  Ｃａｍｅｒａ  Ｆｉｌｅ  ｓｙｓｔｅｍ）規則によるものであることを特徴とする。
【００１２】
第７に上記画像表示装置における上記特定カウント方法は、記録媒体内の記録順によるものであることを特徴とする。
【００１３】
第８に上記画像表示装置において、記録媒体の情報解析後に記録媒体内の情報を表示することを特徴とする。
【００１４】
第９に上記画像表示装置において、記録媒体の情報解析後に表示する記録媒体内の情報は総画像数であることを特徴とする。
【００１５】
第１０に上記画像表示装置において、記録媒体の情報解析後に表示する記録媒体内の情報は最終画像の特定カウント方法における番号であることを特徴とする。
【００１６】
第１１に上記画像表示装置において、記録媒体内の情報解析後に表示する記録媒体内の情報は最初の画像の特定カウント方法における番号であることを特徴とする。
【００１７】
第１２に記録媒体内の画像データを表示する画像表示方法であって、記録媒体内の情報解析中は記録媒体内の前期解析対象画像に含まれる特定の画像を表示することを特徴とする。
【００１８】
第１３に上記画像表示方法における上記特定の画像は、記録媒体内の情報解析時の最初に検出される記録媒体内の画像であることを特徴とする。
【００１９】
第１４に上記画像表示方法における上記特定の画像は、予め不揮発メモリ等に記憶された情報を元に検出される記録媒体内の画像であることを特徴とする。
【００２０】
第１５に上記画像表示方法における上記特定の画像は、記録媒体内の特定カウント方法における最終画像であることを特徴とする。
【００２１】
第１６に上記画像表示方法における上記特定の画像は、記録媒体内の特定カウント方法における最初の最初の画像であることを特徴とする。
【００２２】
第１７に上記画像表示方法における上記特定カウント方法は、ＤＣＦ規則によるものであることを特徴とする。
【００２３】
第１８に上記画像表示方法における上記特定カウント方法は、記録媒体内の記録順によるものであることを特徴とする。
【００２４】
第１９に上記画像表示方法において、記録媒体の情報解析後に記録媒体内の情報を表示することを特徴とする。
【００２５】
第２０に上記画像表示装置において、記録媒体の情報解析後に表示する記録媒体内の情報は総画像数であることを特徴とする。
【００２６】
第２１に上記画像表示装置において、記録媒体の情報解析後に表示する記録媒体内の情報は最終画像の特定カウント方法における番号であることを特徴とする。
【００２７】
第２２に上記画像表示装置において、記録媒体の情報解析後に表示する記録媒体内の情報は最初の画像の特定カウント方法における番号であることを特徴とする。
【００２８】
上記手段により電子カメラ等の画像再生装置においては、カラー液晶パネル等の電子ファインダを用いてユーザに記録媒体内の画像を容易に閲覧させるために同時に記録媒体内の情報を表示する場合に、記録媒体の記録容量が大きくなり、記録画像数、記録ディレクトリ数が多くなるにつれ、記録媒体内情報を検索し表示情報を作成するために時間がかり、ユーザへが画像を閲覧するまでに時間がかかるという問題を解決することが可能となる。
【発明の効果】
【００２９】
本発明に係る画像表示装置に於いては、第１に記録媒体内の画像データを表示する画像表示装置であって、記録媒体内の情報解析中は記録媒体内の前期解析対象画像に含まれる特定の画像を表示することを特徴とする画像表示装置を提供することが可能となる。
【００３０】
第２に上記画像表示装置における上記特定の画像は記録媒体内の情報解析時の最初に検出される記録媒体内の画像であることを特徴とする画像表示装置を提供することが可能となる。
【００３１】
第３に上記画像表示装置における上記特定の画像は予め不揮発メモリ等に記憶された情報を元に検出される記録媒体内の画像であることを特徴とする画像表示装置を提供することが可能となる。
【００３２】
第４に上記画像表示装置における上記特定の画像は記録媒体内の特定カウント方法における最終画像であることを特徴とする画像表示装置を提供することが可能となる。
【００３３】
第５に上記画像表示装置における上記特定の画像は記録媒体内の特定カウント方法における最初の最初の画像であることを特徴とする画像表示装置を提供することが可能となる。
【００３４】
第６に上記画像表示装置における上記特定カウント方法はＤＣＦ規則によるものであることを特徴とする画像表示装置を提供することが可能となる。
【００３５】
第７に上記画像表示装置における上記特定カウント方法は記録媒体内の記録順によるものであることを特徴とする画像表示装置を提供することが可能となる。
【００３６】
第８に上記画像表示装置において、記録媒体の情報解析後に記録媒体内の情報を表示することを特徴とする画像表示装置を提供することが可能となる。
【００３７】
第９に上記画像表示装置において、記録媒体の情報解析後に表示する記録媒体内の情報は総画像数であることを特徴とする画像表示装置を提供することが可能となる。
【００３８】
第１０に上記画像表示装置において、記録媒体の情報解析後に表示する記録媒体内の情報は最終画像の特定カウント方法における番号であることを特徴とする画像表示装置を提供することが可能となる。
【００３９】
第１１に上記画像表示装置において、記録媒体の情報解析後に表示する記録媒体内の情報は最初の画像の特定カウント方法における番号であることを特徴とする画像表示装置を提供することが可能となる。
【００４０】
第１２に記録媒体内の画像データを表示する画像表示方法であって、記録媒体内の情報解析中は記録媒体内の前期解析対象画像に含まれる特定の画像を表示することを特徴とする画像表示方法を提供することが可能となる。
【００４１】
第１３に上記画像表示方法における上記特定の画像は記録媒体内の情報解析時の最初に検出される記録媒体内の画像であることを特徴とする画像表示方法を提供することが可能となる。
【００４２】
第１４に上記画像表示方法における上記特定の画像は予め不揮発メモリ等に記憶された情報を元に検出される記録媒体内の画像であることを特徴とする画像表示方法を提供することが可能となる。
【００４３】
第１５に上記画像表示方法における上記特定の画像は記録媒体内の特定カウント方法における最終画像であることを特徴とする画像表示方法を提供することが可能となる。
【００４４】
第１６に上記画像表示方法における上記特定の画像は記録媒体内の特定カウント方法における最初の最初の画像であることを特徴とする画像表示方法を提供することが可能となる。
【００４５】
第１７に上記画像表示方法における上記特定カウント方法はＤＣＦ規則によるものであることを特徴とする画像表示方法を提供することが可能となる。
【００４６】
第１８に上記画像表示方法における上記特定カウント方法は記録媒体内の記録順によるものであることを特徴とする画像表示方法を提供することが可能となる。
【００４７】
第１９に上記画像表示方法において、記録媒体の情報解析後に記録媒体内の情報を表示することを特徴とする画像表示方法を提供することが可能となる。
【００４８】
第２０に上記画像表示装置において、記録媒体の情報解析後に表示する記録媒体内の情報は総画像数であることを特徴とする画像表示方法を提供することが可能となる。
【００４９】
第２１に上記画像表示装置において、記録媒体の情報解析後に表示する記録媒体内の情報は最終画像の特定カウント方法における番号であることを特徴とする画像表示方法を提供することが可能となる。
【００５０】
第２２に上記画像表示装置において、記録媒体の情報解析後に表示する記録媒体内の情報は最初の画像の特定カウント方法における番号であることを特徴とする画像表示方法を提供することが可能となる。
【００５１】
上記手段により電子カメラ等の画像再生装置においては、カラー液晶パネル等の電子ファインダを用いてユーザに記録媒体内の画像を容易に閲覧させるために同時に記録媒体内の情報を表示する場合に、記録媒体の記録容量が大きくなり、記録画像数、記録ディレクトリ数が多くなるにつれ、記録媒体内情報を検索し表示情報を作成するために時間がかり、ユーザへが画像を閲覧するまでに時間がかかるという問題を解決した画像表示装置および画像表示方法を提供することが可能となる。
【発明を実施するための最良の形態】
【００５２】
以下、図面を参照して、本発明の実施例を詳細に説明する。
【００５３】
図１は、本発明の実施例の構成を示す図である。本発明の一実施例である画像処理装置１００において、１０は撮影レンズ、１２は絞り機能を備えるシャッタ、１４は光学像を電気信号に変換する撮像素子、１６は撮像素子１４のアナログ信号出力をディジタル信号に変換するＡ／Ｄ変換器である。
【００５４】
１８は撮像素子１４、Ａ／Ｄ変換器１６、Ｄ／Ａ変換器２６にクロック信号及び制御信号を供給するタイミング発生回路であり、メモリ制御回路２２及びシステム制御回路５０により制御される。
【００５５】
２０は画像処理回路であり、Ａ／Ｄ変換器１６からのデータ及びメモリ制御回路２２からのデータに対して所定の画素補間処理及び色変換処理を行う。また、画像処理回路２０は、撮像した画像データを用いて所定の演算処理を行い、システム制御回路５０が、画像処理回路２０の演算結果に基づいて、露光制御手段４０及び測距制御手段４２に対して制御を行うＴＴＬ（スルー・ザ・レンズ）方式のＡＦ（オートフォーカス）処理、ＡＥ（自動露出）処理及びＥＦ（フラッシュプリ発光）処理を行う。さらに、画像処理回路２０は、撮像した画像データを用いて所定の演算処理を行い、得られた演算結果に基づいてＴＴＬ方式のＡＷＢ（オートホワイトバランス）処理も行う。
【００５６】
２２はメモリ制御回路であり、Ａ／Ｄ変換器１６、タイミング発生回路１８、画像処理回路２０、画像表示メモリ２４、Ｄ／Ａ変換器２６、メモリ３０及び圧縮伸長回路３２を制御する。Ａ／Ｄ変換器１６の出力データは、画像処理回路２０及びメモリ制御回路２２を介して画像表示メモリ２４或いはメモリ３０に書き込み可能であり、Ａ／Ｄ変換器１６の出力データは、メモリ制御回路２２を介して、画像表示メモリ２４及びメモリ３０に書き込み可能である。再生時には、記録媒体２００又は同２１０からメモリ３０に読み出された圧縮画像データは、画像処理回路２０によって伸長され、画像表示メモリ２４に展開される。
【００５７】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次、表示すれば、電子ファインダ機能を実現することが可能である。
【００５８】
画像表示部２８は、ＯＳＤ（On Screen Display）による各種情報表示の重畳が可能であり、表示内容としては、シングルショット／連写撮影表示、セルフタイマー表示、圧縮率表示、記録画素数表示、記録枚数表示、表示画像通し番号表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、並びに日付け・時刻表示等がある。
【００５９】
３０は撮影した静止画像や動画像を格納するためのメモリであり、所定枚数の静止画像及び所定時間の動画像を格納するのに十分な記憶容量を備えている。これにより、複数枚の静止画像を連続して撮影する連射撮影やパノラマ撮影の場合にも、高速かつ大量の画像をメモリ３０に書き込むことが可能となる。また、メモリ３０はシステム制御回路５０の作業領域としても使用することが可能である。
【００６０】
３２は適応離散コサイン変換（ＡＤＣＴ）等により画像データを圧縮伸長する圧縮伸長回路であり、メモリ３０に格納された画像を読み込んで圧縮処理又は伸長処理を行い、処理を終えたデータをメモリ３０に書き込む。
【００６１】
４０は絞り機能を備えるシャッター１２を制御する露光制御手段であり、フラッシュ４８と連携することによりフラッシュ調光機能も有する。
【００６２】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００６３】
４８はフラッシュであり、ＡＦ補助光の投光機能及びフラッシュ調光機能を有する。露光制御手段４０及び測距制御手段４２はＴＴＬ（スルー・ザ・レンズ）方式を用いて制御されており、撮像した画像データを画像処理回路２０によって演算した演算結果に基づき、システム制御回路５０が露光制御手段４０及び測距制御手段４２を制御する。
【００６４】
５０は画像処理装置１００全体を制御するシステム制御回路、５２はシステム制御回路５０の動作用の定数、変数及びプログラム等を記憶するメモリである。５４はシステム制御回路５０でのプログラムの実行に応じて音声等を用いて動作状態やメッセージ等を表示するスピーカ等の表示部であり、例えばＬＥＤ及び発音素子等の組み合わせにより構成されている。
【００６５】
表示部５４は、その一部の機能が光学ファインダ１０４内に設置されている。表示部５４の表示内容のうち、光学ファインダ１０４内に表示するものとしては、合焦表示、手振れ警告表示、フラッシュ充電表示、シャッタスピード表示、絞り値表示及び露出補正表示等がある。
【００６６】
５６は電気的に消去・記録可能な不揮発性メモリであり、例えばＥＥＰＲＯＭ等が用いられる。
【００６７】
６０、６２、６４及び７０は、システム制御回路５０の各種の動作指示を入力するための操作手段であり、スイッチ、ダイアル、タッチパネル、視線検知によるポインティング及び音声認識装置等の何れか又は組み合わせからなる。ここで、これらの操作手段を具体的に説明する。
【００６８】
６０はモードダイアルスイッチで、電源オフ、自動撮影モード、撮影モード、パノラマ撮影モード、再生モード、マルチ画面再生・消去モード及びＰＣ接続モード等の各機能モードを切り替え設定することが出来る。
【００６９】
６２は第１シャッタスイッチ（ＳＷ１）で、不図示のシャッタボタンの操作途中でオンとなり、ＡＦ（オートフォーカス）処理、ＡＥ（自動露出）処理、ＡＷＢ（オートホワイトバランス）処理及びＥＦ（フラッシュプリ発光）処理等の動作開始を指示する。
【００７０】
６４は第２シャッタスイッチ（ＳＷ２）で、不図示のシャッタボタンの操作完了でオンとなり、撮像素子１２から読み出した画像信号をＡ／Ｄ変換器１６及びメモリ制御回路２２を介してメモリ３０を書き込む露光処理、画像処理回路２０及びメモリ制御回路２２での演算を用いた現像処理、並びに、メモリ３０から画像データを読み出し、圧縮・伸長回路３２で圧縮を行い、記録媒体２００又は２１０に画像データを書き込む記録処理という一連の処理の動作開始を指示する。
【００７１】
７０は各種ボタンやタッチパネル等からなる操作部で、メニューボタン、セットボタン、マクロボタン、マルチ画面再生改ページボタン、フラッシュ設定ボタン、単写／連写／セルフタイマ切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン及び日付／時間設定ボタン等がある。
【００７２】
８０は電源制御手段で、電池検出回路、ＤＣ−ＤＣコンバータ、通電するブロックを切り替えるスイッチ回路等により構成されており、電池の装着の有無、電池の種類及び電池残量の検出を行い、検出結果及びシステム制御回路５０の指示に基づいてＤＣ−ＤＣコンバータを制御し、必要な電圧を必要な期間、記録媒体を含む各部へ供給する。
【００７３】
８２はコネクタ、８４はコネクタ、８６はアルカリ電池及びリチウム電池等の一次電池、ＮｉＣｄ電池、ＮｉＭＨ電池及びＬｉ電池等の二次電池又はＡＣアダプタ等からなる電源手段である。
【００７４】
９０及び９４はメモリカード及びハードディスク等の記録媒体とのインターフェース、９２及び９６はメモリカード及びハードディスク等の記録媒体と接続するコネクタ、９８はコネクタ９２及び／又は９６に記録媒体２００又は２１０が装着されているか否かを検知する記録媒体着脱検知手段である。
【００７５】
本実施例では、記録媒体を取り付けるインターフェース及びコネクタを２系統持つものとして説明しているが、記録媒体を取り付けるインターフェース及びコネクタは、単数或いは複数のいずれでもよい。また、異なる規格のインターフェース及びコネクタを組み合わせて備える構成としても構わない。インターフェース及びコネクタとしては、ＰＣＭＣＩＡカード又はＣＦ（コンパクトフラッシュ（登録商標））カード等の規格に準拠したものを用いて構成して構わない。
【００７６】
さらに、インタフェース９０及び９４、そしてコネクタ９２及び９６をＰＣＭＣＩＡカードやＣＦ（コンパクトフラッシュ）カード等の規格に準拠したものを用いて構成した場合、ＬＡＮカード、モデムカード、ＵＳＢカード、ＩＥＥＥ１３９４カード、Ｐ１２８４カード、ＳＣＳＩカード、及びＰＨＳ等の通信カード等の各種通信カードを接続することにより、他のコンピュータ及びプリンタ等の周辺機器との間で画像データや画像データに付属した管理情報を転送し合うことが出来る。
【００７７】
１０２は、画像処理装置１００のレンズ１０を含む撮像部を覆う事により、撮像部の汚れや破損を防止するバリアである保護手段である。
【００７８】
１０４は光学ファインダであり、画像表示部２８による電子ファインダ機能を使用すること無しに、光学ファインダのみを用いて撮影を行うことが可能である。
【００７９】
１１０は通信手段で、ＲＳ２３２Ｃ、ＵＳＢ、ＩＥＥＥ１３９４、Ｐ１２８４、ＳＣＳＩ、モデム、ＬＡＮ、及び無線通信等の各種通信機能を有する。
【００８０】
１１２は、通信手段１１０により画像処理装置１００を他の機器と接続するコネクタ又は無線通信の場合のアンテナである。
【００８１】
記録媒体２００は、半導体メモリ又は磁気ディスク等から構成される記録部２０２、画像処理装置１００とのインタフェース２０４、及び、画像処理装置１００と接続を行うコネクタ２０６を備えている。
【００８２】
記録媒体２１０は、記録媒体２００と同様に、半導体メモリや磁気ディスク等から構成される記録部２１２、画像処理装置１００とのインタフェース２１４、及び画像処理装置１００と接続を行うコネクタ２１６を具備する。
【００８３】
図２乃至図８を参照して、本実施例の動作を説明する。図２及び図３は本実施例の画像処理装置１００の主ルーチンのフローチャートを示す。
【００８４】
電池交換等の電源投入により、システム制御回路５０は、フラグ及び制御変数等を初期化し（Ｓ１０１）、画像表示部２８の画像表示をオフ状態に初期設定する（Ｓ１０２）。
【００８５】
システム制御回路５０は、モードダイアル６０の設定位置を判断し、モードダイアル６０が電源オフに設定されている場合（Ｓ１０３）、各表示部の表示を終了状態に変更し、保護手段１０２のバリアを閉じて撮像部を保護し、フラグ及び制御変数等を含む必要なパラメータ及び設定値並びに設定モードを不揮発性メモリ５６に記録し、電源制御手段８０により画像表示部２８を含む画像処理装置１００各部の不要な電源を遮断する等の所定の終了処理を行った後（Ｓ１０５）、Ｓ１０３に戻る。
【００８６】
モードダイアル６０が再生モードに設定されている場合（Ｓ１０３）、Ｓ１０６に進む。モードダイアル６０がその他のモードに設定されている場合（Ｓ１０３）、システム制御回路５０は、選択されたモードに応じた処理を実行し（Ｓ１０４）、処理を終えたら、Ｓ１０３に戻る。
【００８７】
システム制御回路５０は、電源制御手段８０により電池等により構成される電源８６の残容量及び動作情況が画像処理装置１００の動作に問題があるか否かを判断し（Ｓ１０６）、問題があるならば、表示部５４を用いて画像及び／又は音声により所定の警告表示を行った後に（Ｓ１０８）、Ｓ１０３に戻る。
【００８８】
電源８６に問題が無いない場合（Ｓ１０６）、システム制御回路５０は、記録媒体２００又は２１０の動作状態が画像処理装置１００の動作、特に記録媒体に対する画像データの記録再生動作に問題があるか否かを判断し（Ｓ１０７）、問題があるならば、画像表示部２８及び表示部５４を用いて画像及び／又は音声により所定の警告表示を行った後に（Ｓ１０８）、Ｓ１０３に戻る。
【００８９】
記録媒体２００又は２１０の動作状態に問題が無いない場合（Ｓ１０７）、画像表示部２８及び表示部５４を用いて画像及び／又は音声により画像処理装置１００の各種設定状態の表示を行う（Ｓ１０９）。
【００９０】
システム制御回路５０は、表示のための記録媒体２００及び２１０内の初期画像及び総画像情報取得のために初期画像解析開始（Ｓ１１０）、総画像解析開始（Ｓ１１１）の指示を行う。
【００９１】
システム制御回路５０は、画像表示部２８の画像表示をオン状態に設定し（Ｓ１１２）、さらに後述する再生処理（Ｓ１１３）を行った後、Ｓ１０３に戻る。
【００９２】
再生処理では、初期画像解析完了（Ｓ２０１）及び総画像解析完了（Ｓ２０２）の確認を行い、まず初期画像の解析のみが完了しているならば、再生対象画像を初期画像とし（Ｓ２０６）、伸長展開処理を実行する（Ｓ２０７）。
【００９３】
さらに総画像の解析も完了している場合、画像総数表示を行う（Ｓ２０３）。また、画像送りの指示の有無を判断し（Ｓ２０４）、指示された画像を再生画像とし（Ｓ２０５）、伸長展開処理（Ｓ２０７）を行う。
【００９４】
図４は、図３のＳ２０７における伸長展開処理の詳細なフローチャートを示す。システム制御回路５０は、伸長指示のあった画像がすでに画像表示メモリ２４に展開済みかどうか判定し（Ｓ３０１）、未展開であれば、記録媒体２００又は２１０から対象ファイルをメモリ３０に読み出す（Ｓ３０２）。
【００９５】
メモリ制御回路２２は、読み出された圧縮ファイルを画像処理回路２０により伸長させて（Ｓ３０３）、画像表示用メモリ２４に展開する（Ｓ３０４）。
【００９６】
図５は、初期画像解析開始処理のフローチャートである。図２のステップＳ１１０で初期画像解析開始の指示がなされた場合で、まだ初期画像解析が行われていないときには（Ｓ４０１）、後述する初期画像解析処理を開始する（Ｓ４０２）。
【００９７】
図６は、初期画像解析処理の詳細なフローチャートを示す。システム制御回路５０は、記録媒体２００又は２１０からルートディレクトリエントリを読みだす（Ｓ５０１）。Ｓ５０１で読み出されたルートディレクトリエントリを解析し”／ＤＣＩＭ”ディレクトリの有無を判定する（Ｓ５０２）。”／ＤＣＩＭ”が存在しないならば、再生画像は無いものと判断し、このフローを抜ける。
【００９８】
”／ＤＣＩＭ”が存在する場合、”／ＤＣＩＭ”のディレクトリエントリを読み込み、検索ディレクトリ番号をＤＣＦ規格上の最大値である９９９に設定する（Ｓ５０４）。対応するディレクトリが存在すると判断された場合（Ｓ５０５）、このディレクトリエントリを読み出し（Ｓ５０６）、再生可能ファイルの有無を判定する（Ｓ５０７）。なお、Ｓ５０５，Ｓ５０６に記載の／ＤＣＩＭ／“ＤｉｒＮｕｍＸＸＸＸＸ”は、例えばＤｉｒＮｕｍが１００の場合、／ＤＣＩＭ／１００ＸＸＸＸＸとなり、ＸＸＸＸＸは、５文字のＡＳＣＩＩ半角英数字となる。
【００９９】
Ｓ５０７で再生画像が存在しない場合、次のディレクトリを検索する（Ｓ５０９、Ｓ５１０）。再生画像が存在すると判断された場合、再生可能画像の最大番号のファイルを初期画像として設定し（Ｓ５０８）、フローを抜ける。
【０１００】
なお、この初期画像解析処理は、図２に示すメインフローと並行して行われてもよい。
また、図６のフローでは、ＤＣＦ規格上の最終ファイルを初期画像として検索しているが、これは一例であり、ＤＣＦ規格上の最初のファイル、若しくは記録媒体上の記録順による最終又は最初のファイルでもよい。
【０１０１】
また、初期画像が予め判定済みであり、その情報が不揮発メモリ等に記憶されている場合、ディレクトリエントリの検索は行わずに、不揮発メモリの内容により初期画像を決定してもよい。
【０１０２】
図７は、総画像解析開始処理のフローチャートである。図２のステップＳ１１１で総画像解析開始の指示がなされた場合で、まだ総画像解析が行われていないときには（Ｓ６０１）、後述する総画像解析処理を開始する（Ｓ６０２）。
【０１０３】
図８は、総画像解析処理の詳細なフローチャートを示す。システム制御回路５０は、記憶している総画像数（ＴｏｔａｌＮｕｍ）を０にリセットする（Ｓ７０１）。記録媒体２００又は２１０からルートディレクトリエントリを読みだす（Ｓ７０２）。Ｓ７０２で読み出されたルートディレクトリエントリを解析し、”／ＤＣＩＭ”ディレクトリの有無を判定する（Ｓ７０３）。”／ＤＣＩＭ”が存在しない場合、再生画像は無いものと判断しフローを抜ける。
【０１０４】
”／ＤＣＩＭ”が存在する場合、”／ＤＣＩＭ”のディレクトリエントリを読み込み、検索ディレクトリ番号をＤＣＦ規格上の最大値である９９９に設定する（Ｓ７０５）。対応するディレクトリが存在する場合、（Ｓ７０６）このディレクトリエントリを読み出し（Ｓ７０７）、再生可能ファイル数を判定し、ＴｏｔａｌＮｕｍに加算する（Ｓ７０８）。Ｓ７０６に記載の／ＤＣＩＭ／”ＤｉｒＮｕｍＸＸＸＸＸ”は、例えばＤｉｒＮｕｍが１００の場合、／ＤＣＩＭ／１００ＸＸＸＸＸとなり、ＸＸＸＸＸは５文字のＡＳＣＩＩ半角英数字となる。
【０１０５】
Ｓ７０８の処理終了後、又はＳ７０６で再生画像が存在しない場合、ＤｉｒＮｕｍが１００になるまで検索を続け（Ｓ７０９、Ｓ７１０）、総画像数を取得する。この総画像解析処理は、図２に示するメインフローと並行して行われてもよい。
【図面の簡単な説明】
【０１０６】
【図１】本発明の一実施例の構成ブロック図である。
【図２】本実施例の主ルーチンのフローチャートの一部である。
【図３】本実施例の再生ルーチンのフローチャートの一部である。
【図４】本実施例の伸張展開ルーチンのフローチャートである。
【図５】本実施例の初期画像解析開始ルーチンのフローチャートである。
【図６】本実施例の初期画像解析ルーチンのフローチャートである
【図７】本実施例の総画像解析開始ルーチンのフローチャートである。
【図８】本実施例の総画像解析ルーチンのフローチャートである。
【符号の説明】
【０１０７】
１０：撮影レンズ  １２：シャッタ  １４：撮像素子１６：Ａ／Ｄ変換器  １８：タイミング発生回路  ２０：画像処理回路  ２２：メモリ制御回路  ２４：画像表示メモリ  ２６：Ｄ／Ａ変換器  ２８：画像表示部  ３０：メモリ  ３２：画像圧縮伸長回路  ４０：露光制御手段  ４２：測距制御手段  ４４：ズーム制御手段  ４６：バリア制御手段  ４８：フラッシュ  ５０：システム制御回路  ５２：メモリ  ５４：表示部  ５６：不揮発性メモリ  ６０：モードダイアルスイッチ  ６２：シャッタスイッチＳＷ１  ６４：シャッタスイッチＳＷ２  ７０：操作部  ８０：電源制御手段  ８２：コネクタ  ８４：コネクタ  ８６：電源手段  ９０：インタフェース  ９２：コネクタ  ９４：インタフェース  ９６：コネクタ  ９８：記録媒体着脱検知手段  １００：画像処理装置  １０２：保護手段  １０４：光学ファインダ  １１０：通信手段  １１２：コネクタ（またはアンテナ）  ２００：記録媒体  ２０２：記録部  ２０４：インタフェース  ２０６：コネクタ  ２１０：記録媒体  ２１２：記録部  ２１４：インタフェース  ２１６：コネクタ
【図１】
2005223536.tif 000003
【図２】
2005223536.tif 000004
【図３】
2005223536.tif 000005
【図４】
2005223536.tif 000006
【図５】
2005223536.tif 000007
【図６】
2005223536.tif 000008
【図７】
2005223536.tif 000009
【図８】
2005223536.tif 000010